(57)【要約】      （修正有）【課題】衣服の出し入れが容易であり、製造コストが安く且つ物流コストを低減し得る衣服カバーを提供する。【解決手段】少なくともスーツ上下が収納可能な大きさに縫製された袋体２と、袋体の少なくとも一端部に形成されたハンガーフック通し穴と、袋体の表布６を長手方向に二分割しそして分割された縁部の双方が重なり合うように形成されたスーツ出し入れ口７と、重なり合う両縁部に該スーツ出し入れ口を閉じ合わさるように取り付けられた閉じ合せ部材３とを備えてなる衣服カバー１であって、閉じ合せ部材は、両縁部の一方に長手方向にのびて取着された、数多くの係合フック１１が基布面に植設された帯状面材１２と、両縁部の他方に長手方向にのびて取着された、係合フックと係合可能な撚糸束１４とからなる。【選択図】図３
2018131253.tif 000002
【特許請求の範囲】
【請求項１】
少なくともスーツ上下が収納可能な大きさに縫製された袋体と、該袋体の少なくとも一端部に形成されたハンガーフック通し穴と、該袋体の表布を長手方向に二分割しそして分割された縁部の双方が重なり合うように形成されたスーツ出し入れ口と、該重なり合う両縁部に該スーツ出し入れ口を閉じ合わさるように取り付けられた閉じ合せ部材とを備えてなる衣服カバーであって、
前記閉じ合せ部材は、前記両縁部の一方に長手方向にのびて取着された、数多くの係合フックが基布面に植設された帯状面材と、
前記両縁部の他方に長手方向にのびて取着された、前記係合フックと係合可能な撚糸束とからなることを特徴とする、衣服カバー。
【請求項２】
基布面からの高さ１．３ないし２．３ｍｍの係合フックが、１ｃｍ２当り３０ないし５０個の割合で前記帯状面材上に配置されてなる請求項１記載の衣服カバー。
【請求項３】
総合繊度５ないし３０ｔｅｘの２本の撚糸束が略平行に配置されてなる請求項１又は請求項２記載の衣服カバー。
【発明の詳細な説明】
【技術分野】
【０００１】
本発明は、衣服の出し入れが容易であり、製造コストが安く且つ物流コストを低減し得る衣服カバーに関するものである。
【背景技術】
【０００２】
スーツを購入した場合、スーツを収容し持ち帰るためのスーツ収容袋が使用される。該スーツ収容袋は、スーツの出し入れを可能とするために、通常、該スーツ収容袋の一方の面の中央に長手方向に開閉可能なスライドファスナーが設けられたスーツ出し入れ口が設けられている（例えば、特許文献１等参照。）。
一方、従来より、開閉手段の典型的なものとして、雄部材と雌部材とからなる面ファスナーが知られている。面ファスナーは、一般に、織布の表面にフック係合素子を設けた雄部材と、織布の表面にループ係合素子を設けた雌部材とからなり、フック係合素子を有する面とループ係合素子を有する面とを対向させて押し付けることにより、多数のフック係合素子が対向するループ係合素子に係合し、雄部材と雌部材とを強力に係合させることができるものである。
【先行技術文献】
【特許文献】
【０００３】
【特許文献１】実用新案登録第３０８５７６１号公報
【発明の概要】
【発明が解決しようとする課題】
【０００４】
しかし、スーツ持ち帰り用スーツ収容袋の用途では、スライドファスナーを開閉させて衣服を出し入れする回数は必ずしも多いものでなく、その開閉動作をなす頻度は一般に十数回ないし数十回程度で足りるものである。これに対して、そのようなスーツ収容袋に取り付けられるスライドファスナーは、樹脂製のスライドファスナーであっても、通常、千回以上の開け閉めに耐えることができる耐久性を有するものであり、つまり、そのような衣服カバーは実際の開閉頻度からみて必要以上に格段に高い性能を有する部品を備えたものとなっている。
このスライドファスナーは、衣服カバーの製造コストの約１／４を占める程の高価なものであり、これを備えることは衣服カバーの製造コストをひき上げる要因となる。更に、スライドファスナーは、厚肉で嵩高いスライダー部品であるため、それを取り付けた衣服カバーを梱包する際嵩張り、結果として該衣服カバーの物流コストが高くなるという問題もあった。
【０００５】
従来の携帯用衣服カバーにおける斯かる問題を解決するために、本発明者は、衣服カバーにおけるスライドファスナーに代えて面ファスナーを用いることを着想した。
しかし、スーツ出し入れ口の縁部に帯状の面ファスナーを長手方向に伸びて取着けた衣服カバーにあっては、スーツ出し入れ口を全開させるのに意外に大きな力が必要とされるだけでなく、面ファスナーはわずかな接触で簡単に係合する部材であるため、例えば帯状の面ファスナーが取り付けられたスーツ出し入れ口の上部を開け続いて該スーツ出し入れ口の下部を開ける操作に移った際、一旦離された上部の面ファスナーの部材同士が接触して、開けられたスーツ出し入れ口が再び閉じてしまうという事態も起きやすく、スーツ出し入れ口を全開させるのに手間取ってしまい、衣服を出し入れする際の使い勝手が悪くなるという問題が生じることが判った。
従って、本発明は、かかる事情に鑑みなされたものであり、衣服の出し入れが容易であり、従来の衣服カバーに比して製造コストがより安く且つ物流コストをより低減し得る衣
服カバーの提供を課題とするものである。
【課題を解決するための手段】
【０００６】
本発明者らは、上記の課題を解決するべく鋭意検討を行った結果、衣服カバーのスーツ出し入れ口にスライドファスナーに代えて下記の係合フックと撚糸束からなる特定の閉じ合せ部材を設けることにより、スーツの出し入れが容易であり、製造コストが安く且つ物流コストを低減し得る衣服カバーとなり得ることを見出し、本発明を完成させた。
【０００７】
即ち、本発明は、
［１］少なくともスーツ上下が収納可能な大きさに縫製された袋体と、該袋体の少なくとも一端部に形成されたハンガーフック通し穴と、該袋体の表布を長手方向に二分割しそして分割された縁部の双方が重なり合うように形成されたスーツ出し入れ口と、該重なり合う両縁部に該スーツ出し入れ口を閉じ合わさるように取り付けられた閉じ合せ部材とを備えてなる衣服カバーであって、
前記閉じ合せ部材は、前記両縁部の一方に長手方向にのびて取着された、数多くの係合フックが基布面に植設された帯状面材と、
前記両縁部の他方に長手方向にのびて取着された、前記係合フックと係合可能な撚糸束とからなることを特徴とする、衣服カバー、
［２］基布面からの高さ１．３ないし２．３ｍｍの係合フックが、１ｃｍ２当り３０ないし５０個の割合で前記帯状面材上に配置されてなる［１］に記載の衣服カバー、並びに
［３］総合繊度５ないし３０ｔｅｘの２本の撚糸束が略平行に配置されてなる［１］又は［２］に記載の衣服カバー
に関するものである。
【発明の効果】
【０００８】
本発明の衣服カバーは、スーツ取り出し口に数多くの係合フックが基布面に植設された帯状面材と、前記係合フックと係合可能な撚糸束とからなるところの閉じ合せ部材を用いたものである。ここで、一般に、閉じ合せ部材の係合力は面ファスナーの係合力に比して弱いものとなる。これにより、本発明の衣類カバーは、面ファスナーを取り付けた衣類カバーと比してはるかに弱い力でスーツ取り出し口を開けることができ、また、閉じ合せ部材は少し接触したくらいでは係合せず、つまり該スーツ取り入れ口を開ける操作において一旦離された帯状面材と撚糸束が接触しても係合せず、開いたスーツ出し入れ口が再び閉じてしまうという事態もおこりにくいので、スーツ出し入れ口を容易に全開させることができ、衣服の出し入れが容易となる。
一方、該閉じ合せ部材の帯状面材と撚糸束とを接触させて軽く押えれば容易に係合するので、本発明の衣服カバーは、衣服カバーを折り畳んだり、持ち運んだりしたくらいでは容易に開かない程度の強度を有し、衣服の携帯に使用できる。
さらに、本発明の衣服カバーにおいて使用される帯状面材及び撚糸束は、スライドファスナーに比してより安い部材であるので、本発明の衣服カバーの製造コストは、従来の衣服カバーの製造コストよりも低減することができる。
さらにまた、本発明の衣服カバーにおいて使用される閉じ合せ部材は、スライドファスナーのスライダー部品のような嵩高い部品を有していないので、本発明の衣服カバーは折りたたんだ際に嵩高くなる部分はなくほぼ平らに折りたたみ積み重ねることができる。これにより本発明の衣服カバーは従来の衣服カバーに比して格段により少ない体積で同じ枚数を梱包できるので、衣類カバーの物流コストや保管コストを低減することができる。
【図面の簡単な説明】
【０００９】
【図１】図１ａは実施例１の衣服カバーの正面図を示し、図１ｂは実施例１の衣服カバーの背面図を示す。
【図２】図２は図１ａのＡ−Ａ断面の拡大図を示す。
【図３】図３ａは実施例１の閉じ合せ部材の一部を開いた衣服カバーの正面図を示し、図３ｂは図３ａのＢ部分の拡大図を示す。
【発明を実施するための形態】
【００１０】
更に詳細に本発明を説明する。
本発明は、少なくともスーツ上下が収納可能な大きさに縫製された袋体と、該袋体の少なくとも一端部に形成されたハンガーフック通し穴と、該袋体の表布を長手方向に二分割しそして分割された縁部の双方が重なり合うように形成されたスーツ出し入れ口と、該重なり合う両縁部に該スーツ出し入れ口を閉じ合わさるように取り付けられた閉じ合せ部材とを備えてなる衣服カバーであって、前記閉じ合せ部材は、前記両縁部の一方に長手方向にのびて取着された、数多くの係合フックが基布面に植設された帯状面材と、前記両縁部の他方に長手方向にのびて取着された、前記係合フックと係合可能な撚糸束とからなることを特徴とする、衣服カバーに関する。
【００１１】
本発明の衣服カバーは、閉じ合せ部材以外の構成は、既知の携帯用衣服カバーと同様の構成を採用することができる。
【００１２】
閉じ合せ部材の帯状面材は、その基布面に数多くの係合フックを植設してなる帯状面材であり、その係合フックの素材としては、ナイロン、ポリエステル、ポリプロピレン等が挙げられる。
係合フックの基布面からの高さは、１．３ないし２．３ｍｍの範囲が好ましく、１．５ないし２．１ｍｍの範囲がより好ましい。
帯状面材上に配置される係合フックの割合は、撚糸束の加工方法や太さに併せて変更でき、例えば１ｃｍ２当り例えば２０ないし６０個、好ましくは３０ないし５０個、より好ましくは３５ないし４５個である。
帯状面材は、縫付けにより衣服カバーへ取着することもできるが、ホットメルト接着剤等の接着剤を用いて衣服カバーへ取着することもできる。
【００１３】
閉じ合せ部材の撚糸束は、例えば５ないし８ｍｍの幅に略等間隔で２本以上ジグザグ状、波状又は略平行に配置されてなり、例えば２本以上の撚糸束が略平行に配置されてなるのが好ましい。５ないし８ｍｍの幅に撚糸束が１本の場合、帯状面材と撚糸束の係合力が相対的に弱く、折りたたんだり、持ち運んだりした場合に、閉じ合せ部材の一部が開いてしまう可能性があるからである。
撚糸束としては、スパン糸或いはフィラメント糸の撚られた束、例えば、ポリエチレン、ポリプロピレン等のポリオレフィン繊維、綿、ポリエステル、ナイロン等の撚糸束、或いはこれら繊維からなる撚糸の複数種を合撚、カバーリングあるいは嵩高加工した撚糸束（交撚糸など）が適用される。特に、ポリエチレン、ポリプロピレン等のポリオレフィン繊維又はその撚糸を用いた撚糸束が好ましい。また、撚糸束として、複数の撚糸から作られる無撚糸束或いはタスラン加工した撚糸束を使用することもできる。撚糸束はそれ自体、例えば、約１５μ〜約３０μの毛糸や総合繊度５ないし３０ｔｅｘ（４５〜３００デニール）の合成繊維糸を用いて作られる。
また、前記撚糸束の撚りは、係合フックが撚糸束を構成する繊維又は撚糸に係合できればよく特に限定されないが、例えば、１００Ｔ／ｍないし１０００Ｔ／ｍの範囲、例えば３００ないし７００Ｔ／ｍの範囲、例えば４００Ｔ／ｍないし６００Ｔ／ｍの範囲である。撚りが１０００Ｔ／ｍよりも大きいと、撚糸束の繊維又は撚糸間の幅が狭くなり帯状面材の係合フック部分と繊維又は撚糸とが係合しにくくなり十分な係合が達成されない可能性があり、また、係合フックを外す際に繊維又は撚糸が切れてしまう可能性がある。一方、撚りが１００Ｔ／ｍよりも小さいと、係合フックを外す際に繊維又は撚糸が係合フックに引っかかったまま引っ張られてしまい、帯状面材と撚糸束との係合が外れにくくなる可能性がある。
撚糸束がジグザグ状又は波状に配置される場合の波の大きさは、４ないし８ｍｍの範囲が好ましく、山と山の間隔は、５ないし１２ｍｍの範囲が好ましい。
上記の撚糸束は、衣服カバーに縫付けたり又はホットメルト接着剤等の接着剤を用いて取着したりすることもできる。また、ポリオレフィン製の撚糸束等を使用する場合、衣服カバーと撚糸束とを熱、高周波又は超音波を用いてシール溶着することもできる。
【実施例】
【００１４】
以下に、図面を参照して本発明をより詳細に説明する。図１ａ及びｂは本発明の衣服カバー１の正面及び背面を示す図でありまた、図２は、図１ａの実施例１の衣服カバー１の閉じ合せ部材３の中央部付近のＡ−Ａ断面の拡大図である。また、図３ａは本発明のスーツ出し入れ口７を開いた衣服カバー１の正面を示す図であり、図３ｂは、図３ａの実施例１の衣服カバー１の閉じ合せ部材３のＢ部分の拡大図である。しかし、本発明の衣服カバーは以下に限定されるものではない。
【００１５】
実施例１
ポリプロピレン製不織布を用いて、少なくともスーツ上下が収納可能な大きさに縫製された袋体２と、該袋体２の上端部に形成されたハンガーフック通し穴４及び下端部に形成されたハンガーフック通し穴５と、該袋体の表布６を長手方向に二分割しそして分割された縁部８の双方が重なり合うように形成されたスーツ出し入れ口７と、該重なり合う両縁部８に該スーツ出し入れ口７を閉じ合わさるように取り付けられた閉じ合せ部材３と、衣服カバー１の上部を挿入可能な袋部９と、収容したスーツを確認できる透明フィルム部１６とを設けた衣服カバー１を製造した。
【００１６】
実施例１の衣服カバー１の両縁部８の一方には、基布１０面から約１．５ないし２．１ｍｍの高さの係合フック１１を１ｃｍ２当り３５ないし４０個植設してなる幅５ｍｍの帯状面材１２を、縫付糸１３で縫製した。両縁部８の他方には長手方向にのびて、総合繊度約１５〜約２０ｔｅｘの２本のプロピレン製撚糸束１４を、約５ｍｍの間隔を有して平行になる様に配置し、超音波シールを用いて溶着した。
【００１７】
実施例１の衣服カバー１における帯状面材１２と撚糸束１４からなる閉じ合せ部材３は、軽く押えれば容易に係合し、該係合力は片手で離すことができる程度の強度であったが、衣服カバー１を折り畳んだり、持ち運んだりしたくらいでは容易にスーツ出し入れ口７が開かない程度の強度を有していた。
また、実施例１の衣服カバー１における帯状面材１２は、撚糸束１４と少し接触したくらいでは係合しないため、スーツ出し入れ口７を開いている間に、一度離れた閉じ合せ部材３が接触しても一度開いたスーツ出し入れ口７が再び閉じることはなく、容易にスーツ出し入れ口７を全開して衣服の出し入れができた。
また、実施例１の衣服カバー１は、スライドファスナーのスライダー部の様な厚みのある部品を有さないので、嵩張る部分無くほぼ平らに折りたたむことができた。
【符号の説明】
【００１８】
１：衣服カバー
２：袋体
３：閉じ合せ部材
４：上端部の開口部
５：下端部の開口部
６：袋体の表布
７：スーツ出し入れ口
８：両縁部
９：袋部
１０：基布
１１：係合フック
１２：帯状面材
１３：縫製糸
１４：撚糸束
【図１】
2018131253.tif 000003
【図２】
2018131253.tif 000004
【図３】
2018131253.tif 000005